(57)【要約】【課題】デザインが洗練され見た目に鮮やかで、外に干した場合にも内容物が外部から看取し得ない便利な洗濯ネットを提供することである。【解決手段】ネット状生地からなる袋状体１１の開口１２周縁にファスナーを設けた洗濯ネット１０において、ネット状生地をナイロンとポリエステルを交互に編み上げることで形成し、ナイロンを所望の色に染色し、ポリエステルを染色しない白無地とすることで鮮やかな縞模様を作り上げたのである。【選択図】図１
0003112773.tif 000002
【実用新案登録請求の範囲】
【請求項１】
ネット状生地からなる袋状体の開口に開閉手段を設けた洗濯ネットにおいて、前記ネット状生地を少なくとも２色以上に色分けしたことを特徴とする洗濯ネット。
【請求項２】
前記色分けは、前記ネット状生地の一部または全部を染色することにより行う請求項１に記載の洗濯ネット。
【請求項３】
染色する部分の生地はナイロンからなり、染色しない部分の生地はポリエステルからなる請求項２に記載の洗濯ネット。
【請求項４】
前記ナイロンとポリエステルとを交互に縞状に編んでネット状生地を形成した請求項３に記載の洗濯ネット。
【考案の詳細な説明】
【技術分野】
【０００１】
この考案は、洗濯ネットに関する。
【背景技術】
【０００２】
自動洗濯機で洗濯を行う際には、傷みやすい生地を用いた衣類は、ネット状生地からなる袋状体の開口にファスナー等を設けたいわゆる洗濯ネットに収納して洗濯を行なうのが通常である。洗濯ネットは、収納した衣類と洗濯機浴槽の壁面や他の衣類とがこすれあうのを防止するため衣類が傷んだり、型崩れするのを防ぐ効果がある。また洗濯した後に洗濯ネットごと干すことにより、ほこりよけの効果もある。
【０００３】
ところで従来は、洗濯ネットは、その洗濯機能の改良については形状、構造を特殊なものとするなど種々考案されているが、洗濯機能以外の点についてはあまり省みられることはなかった。例えば特許文献１に示すように、従来の洗濯ネットはネット状生地が無地単色であり、せいぜいファスナー部分が生地と色違いになっている程度であった。
【０００４】
そのため見た目の面白みに欠け、販売店で展示する場合にも、彩りに乏しく単調で、特に購買意欲を刺激することはなかった。また洗濯ネットごと衣類を外に干す場合に、ネットが無地単色の場合たとえ黒色であっても太陽光線の元では内容物が透けて見えるため、下着等中身を他人に悟られたくないような場合には不都合であった。
【特許文献１】特開２００５−８１０９９号公報
【考案の開示】
【考案が解決しようとする課題】
【０００５】
そこでこの考案の解決すべき課題は、デザインが洗練され見た目に鮮やかで、外に干した場合にも内容物が外部から看取し得ない便利な洗濯ネットを提供することである。
【課題を解決するための手段】
【０００６】
上記した課題を解決するためこの考案は、ネット状生地からなる袋状体の開口に開閉手段を設けた洗濯ネットにおいて、前記ネット状生地を少なくとも２色以上に色分けしたのである。
【０００７】
色分けは、ネット状生地の一部または全部を染色することにより行うのが好ましく、その場合、染色する部分の生地はナイロンからなり、染色しない部分の生地はポリエステルからなるのがより好ましい。さらには、ナイロンとポリエステルとを交互に縞状に編んでネット状生地を形成するのがなお好ましい。
【考案の効果】
【０００８】
ネット状生地を少なくとも２色以上に色分けすることにより、洗濯ネットの見た目が鮮やかになるため、消費者の購買意欲の向上に資することができる。また、洗濯ネットごと外に干した場合にも、内容物が外部からは見えづらく、下着等を干す場合にも便利である。
【０００９】
ネット状生地の一部または全部を染色することにより色分けを行うと、生地表面に柄をプリントする場合等と比較して色落ちが少なく、見た目の鮮やかさが持続する。
【００１０】
染色する部分の生地はナイロンとし、染色しない部分の生地はポリエステルとすると、生地に十分な強度を与えることができ、しかもナイロンの染色温度とポリエステルの染色温度の温度差を利用して、比較的低温で染まるナイロンに染色温度に合わせて染色することにより、容易に色分けが可能となる。
【００１１】
ナイロンとポリエステルとを交互に縞状に編んでネット状生地を形成すると、ポリエステルが白地のまま残り、ナイロンが所要の色に染色されることにより、鮮やかな縞模様を作り出すことができる。またこの場合、トリコット機等による縦編みで簡易に作り出すことができ、製造コストも低廉である。
【考案を実施するための最良の形態】
【００１２】
以下、図面を参照しつつこの考案の実施形態について説明する。
【００１３】
図１はこの考案にかかる洗濯ネット１０を示す。図示のように洗濯ネット１０は、ネット状に編み上げられた生地１１ａからなる平面視方形の袋状体１１の開口１２周縁に、ファスナー１２ａを取り付け、開口１２を開閉自在としている。使用する際にはファスナー１２ａを開けて開口１２から洗濯物を袋状体１１内部に収納し、自動洗濯機にかける。また自動洗濯機にかけ終えた後は、そのまま外で干して洗濯物をほこりから守りつつ乾燥させる。
【００１４】
なお、袋状体１１は平面視方形に限られず、平面視円形、楕円形等どんな形状でもよく、開口１２周縁は面ファスナー等のファスナー１２ａ以外の開閉部材を取り付けることにより開閉自在としても良いことは無論である。
【００１５】
生地１１ａは図２のように、ナイロン部１１ｂとポリエステル部１１ｃとを交互に縞状に編み上げることで形成されている。このような生地１１ａは、トリコット機により縦編みすることで容易に作り出すことができる。なお、ナイロン部１１ｂおよびポリエステル部１１ｃの幅は任意である。
【００１６】
また図示のように、生地１１ａのナイロン部１１ｂは染色され、ポリエステル部１１ｃは無着色の白地であることから、生地１１ａは鮮やかな縦縞模様となっている。生地１１ａのうちナイロン部１１ｂのみを染色するには、まずナイロンが染まり、ポリエステルが染まらない８０℃から９０℃の温度下で生地１１ａの染色工程をおこなう。次にこれを水洗いすると、ポリエステルに付着した染料が洗い流される。こうして染色することにより、色落ちが比較的少なく縞模様の鮮やかさが持続する。
【００１７】
他にも、染色温度の異なる複数の合成繊維、天然繊維を適宜編み上げ、染色温度の差等の染色特性を利用して多色に染め上げることが可能である。またジャガード機等により、複雑に編み上げ、様々な模様を形成することも可能である。勿論、色持ちは染色した場合と比較して劣るが、プリントにより着色しても構わない。
【００１８】
このようにして完成した洗濯ネット１０は、生地１１ａの縞模様が見た目に鮮やかであり、デザイン的に洗練されており、家庭で使用する際にも楽しみがわくため、主婦層の購買意欲をかきたてる。また、洗濯ネットごと外に干した場合にも、太陽光線が縞模様に遮られるため、内容物が外部からは見えづらく、とくに女性下着等の人に見られたくない衣類を干す場合にも不愉快な思いをしなくてもよく、また防犯面でも女性の一人暮らしの場合でも悟られることなく安全である。
【図面の簡単な説明】
【００１９】
【図１】洗濯ネットの斜視図
【図２】生地の拡大図
【符号の説明】
【００２０】
１０  洗濯ネット
１１  袋状体
１１ａ  生地
１１ｂ  ナイロン部
１１ｃ  ポリエステル部
１２  開口
１２ａ  ファスナー
【図１】
0003112773.tif 000003
【図２】
0003112773.tif 000004